(57)【要約】【課題】イカがヤエンに触れて逃げようとした場合でも、イカが逃げる方向に針を追随させて、確実にイカを釣り上げることができるイカ釣り用ヤエンが望まれていた。【解決手段】本発明に係るイカ釣り用ヤエンは、本体部材と、釣り針部材と、本体部材および釣り針部材を連結する連結部材とを備えるイカ釣り用ヤエンであって、本体部材は、棒状の本体部に、本体部に立設した釣り糸通し部と、第一ストッパ部を備えたものであり、釣り針部材は、柔軟性または／および伸縮性を有する線材に、複数の針部と、第二ストッパ部を備えたものであり、連結部材は、柔軟性または／および伸縮性を有する線材と棒状の本体部とを連結するとともに、柔軟性または／および伸縮性を有する線材を棒状の本体部の前方に引き出すように移動させるものであることを特徴とする。【選択図】図１
2020174544.tif 000002
【特許請求の範囲】
【請求項１】
本体部材と、釣り針部材と、前記本体部材および前記釣り針部材を連結する連結部材とを備えるイカ釣り用ヤエンであって、
前記本体部材は、
棒状の本体部に、前記本体部に立設した釣り糸通し部と、第一ストッパ部を備えたものであり、
前記釣り針部材は、
柔軟性または／および伸縮性を有する線材に、複数の針部と、第二ストッパ部を備えたものであり、
前記連結部材は、
前記柔軟性または／および伸縮性を有する線材と前記棒状の本体部とを連結するとともに、前記柔軟性または／および伸縮性を有する線材を前記棒状の本体部の前方に引き出すように移動させるものであることを特徴とするイカ釣り用ヤエン。
【請求項２】
前記第一ストッパ部が、
前記棒状の本体部の先端部に設けられていることを特徴とする請求項１に記載のイカ釣り用ヤエン。
【請求項３】
前記第二ストッパ部が、
前記柔軟性または／および伸縮性を有する線材の後端部に設けられていることを特徴とする請求項１または請求項２に記載のイカ釣り用ヤエン。
【請求項４】
前記連結部材が、
前記棒状の本体部と前記柔軟性または／および伸縮性を有する線材とを共に挿入する筒状部材であることを特徴とする請求項１から請求項３のいずれか一項に記載のイカ釣り用ヤエン。
【請求項５】
前記連結部材が、
前記棒状の本体部を挿入することができる第一筒状部材と、
前記柔軟性または／および伸縮性を有する線材を挿入することができる第二筒状部材を、
上下に並列に連結したものであることを特徴とする請求項１から請求項３のいずれか一項に記載のイカ釣り用ヤエン。
【請求項６】
前記連結部材が、
前記第一ストッパ部の後方で、かつ前記第二ストッパ部の前方の位置に設けられていることを特徴とする請求項１から請求項５のいずれか一項に記載のイカ釣り用ヤエン。
【発明の詳細な説明】
【技術分野】
【０００１】
本発明は、イカ釣り用ヤエンに関するものである。詳しくは、棒状の本体部を用いた本体部材と、柔軟性または／および伸縮性を有する線材を用いた釣り針部材と、本体部材および釣り針部材を特定の形態によって連結する連結部材とを備えることによって、イカがヤエン（針）に触れて逃げようとした場合でも針がイカの体に纏わりつくようになり、その結果、イカを確実に捕獲して釣り上げることができるイカ釣り用ヤエンに関するものである。
【背景技術】
【０００２】
従来からイカを釣り上げるための様々なイカ釣り用ヤエンが開発されている。なお、イカ釣りにおいてヤエンを用いる際は、以下の動作を行って釣り上げることが一般的な動作となっている。
１）まず釣り糸の先に餌魚をつけて海中で泳がせる。
２）次に餌魚に食いついたアタリの強弱によってイカの大きさを予測して各種のヤエンの中から適切な大きさのヤエンを選択して釣り糸に装着して海中に投入する。
３）ヤエンがイカまで到達した後、合わせ動作（釣竿をしゃくり上げたり、上下左右に動かす動作）を行ってヤエンの釣り針をイカに引っ掛けることによって釣り上げる。
【０００３】
ここで、一般的なイカ釣り用ヤエンは、如何にしてヤエン（針）をイカに引っ掛けるかに重点が置かれてきた。本願出願人においても、針をより効果的にイカに引っ掛けるための技術を特許第６１８２６８８号において提案している。
【０００４】
一方、イカはヒレと漏斗を用いて動くため、他の魚とは異なり、様々な方向に動くことが可能である。具体的には、前後左右上下の各方面への移動はもとより、そのままの位置に留まったり、或いは円筒体が周方向に回転するように胴体を回転したりすることも可能である。また、漏斗から海水を吐き出すことによって、その移動速度も様々に調節することが可能である。
さらに、イカは軟体動物であり、内部に軟甲と呼ばれる骨を有しているが、体の大部分は柔らかい筋肉や内臓で構成されている。
【０００５】
従って、仮にヤエンの針がイカに引っ掛かった場合であっても、針の掛かりが弱かったり、僅かな本数の針しかイカに掛かっていなかったりした場合には、イカが様々な方向や速度で動くことに加えて身が柔らかいことから、針（ヤエン）が身から外れたり、身切れすることによって針（ヤエン）からイカが逃げてしまったりすることになる。また、ヤエンと釣り糸との装着状態によっては、イカがヤエンを身に引っ掛けたままの状態でヤエンごと釣り糸から外して逃げてしまうことも生じるのである。
【０００６】
そこで、ヤエンの針がイカから外れて逃げてしまうことを防止する技術が各種開発されている。
【先行技術文献】
【特許文献】
【０００７】
【特許文献１】特開２００２−１２５５５０号公報
【特許文献２】特開２０１０−２１３６１８号公報
【特許文献３】特開２００２−２７２３３４号公報
【発明の概要】
【発明が解決しようとする課題】
【０００８】
具体的には、特許文献１に記載のイカ釣り用ヤエンは、餌掛け針３を設けた弾性体４が連結具９によって釣り糸１に連結されているとともに、餌掛け針３はさらに釣り糸１を通した環状ガイド体５によって釣り糸１に沿って移動可能に連絡されている構造となっている。また、釣り糸１の先端には釣り針２が設けられている構造となっている（特許文献１の［０００７］および図１〜３参照）。
【０００９】
特許文献２に記載のイカ釣り用ヤエンは、「餌取付け部材」と「イカ引掛け部材」を主要部材とするものであって、「餌取付け部材（バネ材２と糸ストッパ７）」と「イカ引掛け部材（糸材９）」は固定部材によって連結され、連結部６によって道糸２１に連絡される構造となっている（特許文献２の［００１７］〜［００１８］、図１参照）。
「餌取付け部材」は、バネ材２と、下方延出部３と、上方延出部４と、餌針５と、糸ストッパ７を主要部品とし、上方延出部４と糸ストッパ７は固定部材によって連結されている構造となっている。また、バネ材２、下方延出部３、上方延出部４は一体的に設けられているものであり、下方延出部３と糸ストッパ７の先端には餌針５が設けられている構造となっている（特許文献２の［００２５］〜［００２９］、図１参照）。
「イカ引掛け部材」は、棒材（金属棒）８と、糸材９と、引掛け針１１を主要部品とし、糸材９の先に棒材８を連結し、棒材８の先に引掛け針１１が設けられている構造となっている。また、糸材９は「餌取付け部材」のバネ材２内に挿通されている構造となっている（特許文献２の［００２５］〜［００２９］、図１参照）。
【００１０】
特許文献３に記載のイカ釣り用ヤエンは、本体に軟線材（テグス９）を連結し、軟線材の先端には針体４（図１）または針体取付軸部３（図６）を設け、さらに針体４または針体取付軸部３は本体に脱着自在に取り付けられている構造となっている（特許文献３の図１、６参照）。
【００１１】
しかしながら、特許文献１、２に記載のイカ釣り用ヤエンは、いずれもイカに引っ掛かった針が特定の一方向のみにしか移動しない構造となっている。具体的には、特許文献１においては、イカに引っ掛かった針が釣り糸１に沿ってしか移動しない構造となっており、特許文献２においては、針に引っ掛かったイカが棒材８に沿ってしか移動しない構造となっている。
従って、仮に針がイカの身に引っ掛かった場合でも、不規則な移動（様々な方向に様々な速度で移動）をするイカに針が追随することができず、依然としてイカを逃がしてしまうという課題がある。
【００１２】
また、特許文献３に記載のイカ釣り用ヤエンは、本体と軟線材との連結点を中心に針が様々な方向に動くことができる構造となっているが、図１の形態においては、針体が本体に取り付けられていることから、軟線材の長さはほぼ本体の長さとなる。
従って、図１の形態においては、針体が本体の長さ分の距離しか追随することができないことから、イカが勢いよく逃げた場合には軟線材が追随することができずイカを逃がしてしまうという課題がある。また、図１の形態は軟線材に針が１つしか設けられない構造となっていることから、この点からもイカを逃がし易い構造となっている。
【００１３】
この点、特許文献３の図６の形態においては、針体取付軸部３が本体から外れることになることから、特許文献３の図１の形態よりは長さがある分、イカに追随することができることになる。
しかしながら、特許文献３の図６の形態においては、通常の状態において軟線材がたわんだ状態となっていることから、ヤエンを海中に投入して餌に食いついているイカに到達させるまでの間に係るたわみ部分が釣り糸に引っ掛かってヤエンをイカにまで到達させることができない事態が発生するという課題がある。
具体的には、まずイカ釣り用ヤエンは、一般的には、本願の図１０（ａ）に示すように釣り糸を張ることなく海中に投入してしまうとヤエンがイカに到達した際にイカとヤエンとの間が離れてしまってイカに針が引っ掛かり難くなってしまうことから、本願の図１０（ｂ）に示すように出来るだけ角度を付けないように釣り糸を張ってヤエンをイカに対して直線的に海中に投入するようにすることが好ましい。つまり、本願の図１０（ｂ）に示すようにヤエンをイカに対して直線的に海中に投入すれば、ヤエンが餌に食いついているイカに到達した際、イカとヤエンとの間が離れないことになり、イカに針が引っ掛かり易くなるのであるが、本願の図１０（ｂ）のような釣り糸を張った状態で特許文献３の図６の形態のように軟線材がたわんだヤエンを海中に投入すると、係るたわみ部分が釣り糸に引っ掛かってヤエンをイカに到達させることができない事態が顕著に発生するのである。
【００１４】
今般、本願発明者は鋭意検討を行った結果、棒状の本体部を用いた本体部材と、柔軟性または／および伸縮性を有する線材を用いた釣り針部材と、本体部材および釣り針部材を連結する連結部材とを備え、さらに、連結部材を特定の構造とすることによって、イカがヤエンに触れて逃げようとした場合でも針部がイカの体に纏わりつくようになり、その結果、イカを確実に釣り上げることができるイカ釣り用ヤエンを得ることができるという知見を得た。
【００１５】
本発明は、上記した従来の問題点に鑑みてなされたものであって、新規なイカ釣り用ヤエンの提供を目的とするものである。
【課題を解決するための手段】
【００１６】
上記目的を達成するために、本発明の請求項１に係るイカ釣り用ヤエンは、本体部材と、釣り針部材と、本体部材および釣り針部材を連結する連結部材とを備えるイカ釣り用ヤエンであって、本体部材は、棒状の本体部に、本体部に立設した釣り糸通し部と、第一ストッパ部を備えたものであり、釣り針部材は、柔軟性または／および伸縮性を有する線材に、複数の針部と、第二ストッパ部を備えたものであり、連結部材は、柔軟性または／および伸縮性を有する線材と棒状の本体部とを連結するとともに、柔軟性または／および伸縮性を有する線材を棒状の本体部の前方に引き出すように移動させるものであることを特徴とする。
【００１７】
本発明の請求項２に係るイカ釣り用ヤエンは、第一ストッパ部が、棒状の本体部の先端部に設けられていることを特徴とする。
【００１８】
本発明の請求項３に係るイカ釣り用ヤエンは、第二ストッパ部が、柔軟性または／および伸縮性を有する線材の後端部に設けられていることを特徴とする。
【００１９】
本発明の請求項４に係るイカ釣り用ヤエンは、連結部材が、棒状の本体部と柔軟性または／および伸縮性を有する線材とを共に挿入する筒状部材であることを特徴とする。
【００２０】
本発明の請求項５に係るイカ釣り用ヤエンは、連結部材が、棒状の本体部を挿入することができる第一筒状部材と、柔軟性または／および伸縮性を有する線材を挿入することができる第二筒状部材を、上下に並列に連結したものであることを特徴とする。
【００２１】
本発明の請求項６に係るイカ釣り用ヤエンは、連結部材が、第一ストッパ部の後方で、かつ第二ストッパ部の前方の位置に設けられていることを特徴とする。
【発明の効果】
【００２２】
本発明のイカ釣り用ヤエンによれば、特定の形態を有する本体部材と釣り針部材と連結部材とを備えているので、ヤエンの針部にイカの身が引っ掛かってイカが逃げようとした際においても、連絡部材が移動することによってイカが移動する方向に柔軟性または／および伸縮性を有する線材が引き出されてイカに追随することになる。従って、針部がイカの身から外れたり、身切れしたりすることを防止することができ、確実にイカを捕獲することができる。
【００２３】
また、本発明のイカ釣り用ヤエンは、イカが逃げようとして引き出された線材が柔軟性または／および伸縮性を有するものであることから、イカが様々な方向に身を動かすと逆に柔軟性または／および伸縮性を有する線材がイカの身に巻き付いてより多くの針部がイカの身に引っ掛かることになり、確実にイカを捕獲することができる。
【００２４】
さらに、本発明のイカ釣り用ヤエンは、連結部材が柔軟性または／および伸縮性を有する線材を棒状の本体部の前方に引き出すように移動させるものであることから、引き出される前の柔軟性または／および伸縮性を有する線材が棒状の本体部に沿って保持（収納）されることになり、特許文献３の図６のようなたわみ部分が釣り糸に引っ掛かる事態を防止することができ、ヤエン海中に投入する際、ヤエンをスムーズにイカに到達させることができる。
【００２５】
本発明の請求項２に係るイカ釣り用ヤエンによれば、第一ストッパ部が棒状の本体部の先端部に設けられているので、柔軟性または／および伸縮性を有する線材をより前方に長く引き出すことができ、その結果、イカをより確実に捕獲することができる。
【００２６】
本発明の請求項３に係るイカ釣り用ヤエンによれば、第二ストッパ部が、柔軟性または／および伸縮性を有する線材の後端部に設けられているので、柔軟性または／および伸縮性を有する線材をより前方に長く引き出すことができ、その結果、イカが逃げようとしてもより確実に捕獲することができる。
【００２７】
本発明の請求項４、５に係るイカ釣り用ヤエンによれば、連結部材が、特定の形態となっているものであるので、釣り針部材と本体部材を容易に連結させつつ、柔軟性または／および伸縮性を有する線材をよりスムーズにイカが逃げようと方向に引き出すことができる。
【００２８】
本発明の請求項６に係るイカ釣り用ヤエンによれば、連結部材が、第一ストッパ部の後方でかつ第二ストッパ部の前方の位置、すなわち連結部材が第一ストッパ部と第二ストッパ部の間に設けられているので、柔軟性または／および伸縮性を有する線材をよりスムーズに引き出すことができる。
また、連結部材が第一ストッパ部と第二ストッパ部の間に設けられていることによって、第一ストッパ部と第二ストッパ部に加えて連結部材も柔軟性または／および伸縮性を有する線材を支えることになり、引き出される前の柔軟性または／および伸縮性を有する線材をより棒状の本体部に沿って保持（収納）させることができることになる。つまり、連結部材が柔軟性または／および伸縮性を有する線材のたわみの発生を防止する「たわみ防止部材」としても機能することになり、ヤエンを海中に投入する際にも釣り糸に引っ掛かることなく、ヤエンをよりスムーズにイカに到達させることができる。
【図面の簡単な説明】
【００２９】
【図１】本発明のイカ釣り用ヤエンの第一の実施形態を示す模式図（図１（ａ）は柔軟性または／および伸縮性を有する線材が引き出される前の状態を示す模式図、図１（ｂ）は柔軟性または／および伸縮性を有する線材が引き出された際の状態を示す模式図）である。
【図２】図１のイカ釣り用ヤエンの要部を示す模式図である。
【図３】第一の実施形態の変形例を示す模式図（図３（ａ）は柔軟性または／および伸縮性を有する線材が引き出される前の状態を示す模式図、図３（ｂ）は柔軟性または／および伸縮性を有する線材が引き出された際の状態を示す模式図）である。
【図４】第一の実施形態の別の変形例を示す模式図（図４（ａ）は柔軟性または／および伸縮性を有する線材が引き出される前の状態を示す模式図、図４（ｂ）は柔軟性または／および伸縮性を有する線材が引き出された際の状態を示す模式図）である。
【図５】本発明のイカ釣り用ヤエンの第二の実施形態を示す模式図（図５（ａ）は柔軟性または／および伸縮性を有する線材が引き出される前の状態を示す模式図、図５（ｂ）は柔軟性または／および伸縮性を有する線材が引き出された際の状態を示す模式図）である。
【図６】本発明のイカ釣り用ヤエンの第三の実施形態を示す模式図（図６（ａ）は柔軟性または／および伸縮性を有する線材が引き出される前の状態を示す模式図、図６（ｂ）は柔軟性または／および伸縮性を有する線材が引き出された際の状態を示す模式図）である。
【図７】図１のイカ釣り用ヤエンを餌に食いついているイカに到達させた状態を示す模式図である。
【図８】図７の状態から針部がイカに引っ掛かって、釣り針部材（着脱部）が本体部材から離れた状態を示す模式図である。
【図９】図８の状態から針部が引っ掛かったイカが逃げて暴れることによって、柔軟性または／および伸縮性を有する線材が引き出されて釣り針部材がイカの身に巻き付いた状態を示す模式図である。
【図１０】イカ釣り用ヤエンを海中に投入する際のヤエンとイカの位置関係を示す模式図（図１０（ａ）は釣り糸を張ることなく海中に投入する際の状態を示す模式図、図１０（ｂ）は出来るだけ角度を付けないように釣り糸を張って、ヤエンをイカに対して直線的に海中に投入する際の状態を示す模式図）である。
【発明を実施するための形態】
【００３０】
本発明の実施形態を図面に基づいて説明する。なお、以下に述べる実施形態は本発明を具体化した一例に過ぎず、本発明の技術的範囲を限定するものでない。
図１は本発明のイカ釣り用ヤエンの第一の実施形態を示す模式図（図１（ａ）は柔軟性または／および伸縮性を有する線材が引き出される前の状態を示す模式図、図１（ｂ）は柔軟性または／および伸縮性を有する線材が引き出された際の状態を示す模式図）であり、図２は図１のイカ釣り用ヤエンの要部を示す模式図であり、図３は第一の実施形態の変形例を示す模式図（図３（ａ）は柔軟性または／および伸縮性を有する線材が引き出される前の状態を示す模式図、図３（ｂ）は柔軟性または／および伸縮性を有する線材が引き出された際の状態を示す模式図）であり、図４は第一の実施形態の別の変形例を示す模式図（図４（ａ）は柔軟性または／および伸縮性を有する線材が引き出される前の状態を示す模式図、図４（ｂ）は柔軟性または／および伸縮性を有する線材が引き出された際の状態を示す模式図）であり、図５は本発明のイカ釣り用ヤエンの第二の実施形態を示す模式図（図５（ａ）は柔軟性または／および伸縮性を有する線材が引き出される前の状態を示す模式図、図５（ｂ）は柔軟性または／および伸縮性を有する線材が引き出された際の状態を示す模式図）であり、図６は本発明のイカ釣り用ヤエンの第三の実施形態を示す模式図（図６（ａ）は柔軟性または／および伸縮性を有する線材が引き出される前の状態を示す模式図、図６（ｂ）は柔軟性または／および伸縮性を有する線材が引き出された際の状態を示す模式図）である。
【００３１】
（基本構造）
まず、本発明のイカ釣り用ヤエンの基本構造を図１〜４（第一の実施形態）に基づいて説明する。
本発明のイカ釣り用ヤエン１は、図１〜４に示すように、本体部材２と、釣り針部材３と、本体部材２および釣り針部材３を連結するための連結部材４を主要部材とするものである。
なお、図１〜４のイカ釣り用ヤエン１には設けていないが、必要に応じて錘などを備えることも可能である。
【００３２】
次に、各構成要件について説明する。
【００３３】
（本体部材）
本発明に用いられる本体部材２は、棒状の本体部５に釣り糸通し部６と第一ストッパ部７を備えた構造となっているものである。
このように、本発明に用いられる本体部材２（棒状の本体部５）は、第一ストッパ部７を備えていることから、イカが逃げようとして釣り針部材３が引き出された際にも、イカに追随させつつ、釣り針部材３が本体部材２から抜けてしまうことを防止することができるのである。そしてその結果、釣り針部材３（針部９）がイカの身から外れたり、身切れしたりすることを防止することができ、確実にイカを捕獲することができるのである。
【００３４】
（棒状の本体部）
なお、本体部材２は本発明においては上記の構成要件を具備していれば良いが、棒状の本体部５については、さらに分割して一方の本体部５には釣り糸通し部６を設け、他方の本体部５には第一ストッパ部７を設けて、両方の本体部５を特許６２５４７３６号に記載の連結機構によって連結する構造とすれば、必要に応じてイカ釣り用ヤエン自体の長さも変更することができるので好適である。また、係る構造とすればイカを釣り上げてタモ網などで回収した後、イカが引っかかった状態で他方の本体部５のみを分離して、別の他方の本体部５を連結すればすぐに次の釣り上げ作業に取り掛かることができるので好適である。
【００３５】
さらに、本体部材２には、後記する第二、第三の実施形態（図５、６）に示すように、針部９を設けることもできる。
【００３６】
本体部材２の材質については特に限定されるものではなく、各種の金属やプラスチックなどを用いることができる。なお、本体部５を分割して特許６２５４７３６号の連結機構によって連結する構造とする場合には、一方の本体部５に用いる材質と他方の本体部５に用いる材質に弾性率（ヤング率）の異なる材質を用いれば、イカを効率よく引っ掛けることができるので好適である。
【００３７】
（釣り糸通し部）
釣り糸通し部６は、該本体部５に溶接やはんだ付けなどによって立設した構造となっているものである。
なお、図１〜４のイカ釣り用ヤエン１においては、釣り糸通し部６が本体部５に３つ立設され、さらにそれぞれの釣り糸通し部６（６ａ、６ｂ、６ｃ）が特定の形状となっている形態（具体的には特許６１８２６８８号の形態）を採用しているが、本発明においてはこれに限定されるものではなく、釣り糸通し部６の数や形状など、必要に応じて各種の形態とすることができる。
【００３８】
（第一ストッパ部）
第一ストッパ部７は、後記する第二ストッパ部１０と互いに作用し合って釣り針部材３（柔軟性または／および伸縮性を有する線材８）の移動距離を規制するためのものであり、また釣り針部材３が引き出された際に釣り針部材３が本体部材２から抜けてしまうことを防止するためのものである。
なお、第一ストッパ部７は、釣り針部材３が本体部材２から抜けてしまうことを防止することができるものであれば特に形態が限定されるものではなく、棒状の本体部５の一部に釣り針部材３と嵌合する嵌合機構を設ける形態や棒状の本体部５の一部に釣り針部材３と係止する係止機構を設ける形態など各種の形態を採用することができる。
そしてその中でも、図１〜４に記載のとおり、棒状の本体部５の先端部に本体部５の太さよりも大きい膨出部７ａを形成するとともに膨出部７ａの先に突出部７ｂを形成し、釣り針部材３に後記する第二ストッパ部１０を採用する形態とすれば、簡単な構造で本体部材２からの釣り針部材３の抜けを有効に防止することができるので好適である。また、後記するように、棒状の本体部５の先端部を曲げ加工してＪ字形状部７ｃとすることによっても簡単な構造で本体部材２からの釣り針部材３の抜けを有効に防止することができるので好適である。
【００３９】
（釣り針部材）
本発明に用いられる釣り針部材３は、柔軟性または／および伸縮性を有する線材８に複数の針部９と第二ストッパ部１０を備えた構造となっているものである。
このように、本発明に用いられる釣り針部材３は、柔軟性または／および伸縮性を有する線材８を備えていることから、イカが逃げようとして様々な方向に移動しても追随するとともに、却って線材８が身に巻き付いてより多くの針部９がイカの身に引っ掛かることになり、確実にイカを捕獲することができるのである。
【００４０】
（柔軟性または／および伸縮性を有する線材）
柔軟性または／および伸縮性を有する線材８の形態については特に限定されるものではなく、図１〜４に示すような直線状の柔軟性または／および伸縮性を有する線材８に針部９を配置する形態の他、柔軟性または／および伸縮性を有する線材８を二股状（コの字状、Ｙ字状、Ｕ字状など）や三股状などの複数に枝分かれした形状にして、係る枝分かれ部分に針部９を設けた形態とすることもできる。
【００４１】
また、柔軟性または／および伸縮性を有する線材８は柔軟性または／および伸縮性を有するものであれば特に限定されるものではなく、釣り糸として用いられている各種のプラスチックや、ゴム材などの各種の弾性体や、針金やワイヤーロープなどの各種の金属材料を用いることができる。なお、図１〜４においては、柔らかいステンレス製の線材を柔軟性または／および伸縮性を有する線材８として用いた形態となっている。
【００４２】
（針部）
針部９の形態については特に限定されるものではなく、各種の形態の針を用いることができる。また、針部９の数については特に限定されるものではなく、１つのみを設けた形態でもよいが、図１〜４に示すように複数設けた形態とすれば逃げようとするイカをより確実に確保することができるので好適である。
【００４３】
（第二ストッパ部）
第二ストッパ部１０は、第一ストッパ部７と互いに作用し合って釣り針部材３（柔軟性または／および伸縮性を有する線材８）の移動距離を規制するためのものであり、また釣り針部材３が引き出された際に釣り針部材３が本体部材２から抜けてしまうことを防止するためのものである。
なお、第二ストッパ部１０についても、第一ストッパ部７と同様に、釣り針部材３が本体部材２から抜けてしまうことを防止することができるものであれば特に形態が限定されるものではなく、柔軟性または／および伸縮性を有する線材８の一部に本体部材２と嵌合する嵌合機構を設ける形態や柔軟性または／および伸縮性を有する線材８の一部に本体部材２と係止する係止機構を設ける形態など各種の形態を採用することができる。
そしてその中でも、図１〜４に記載のような２つの筒状部材（第三筒状部材１０ａ、第四筒状部材１０ｂ）を上下に並列に連結した形態や、図５、６に記載のような各種の錘を接合した形態とすれば、簡単な構造で確実にストッパ機能を発現させることができるので好適である。
【００４４】
（着脱部）
なお、本発明の釣り針部材３については、棒状の本体部５と柔軟性または／および伸縮性を有する線材８を脱着自在にするための着脱部１１を設けることもできる。なお、後記する第二、第三の実施形態のように着脱部１１を設けない構造とすることもできる。
具体的には、着脱部１１は、通常時は柔軟性または／および伸縮性を有する線材８を棒状の本体部５に沿って保持（収納）するためのものであり、捕獲の際（逃げようとするイカを確保する際）は柔軟性または／および伸縮性を有する線材８を棒状の本体部５から離脱させて柔軟性または／および伸縮性を有する線材８および針部９をイカの体に纏わりつかせるためのものである。
【００４５】
なお、着脱部１１の構造については、棒状の本体部５と柔軟性または／および伸縮性を有する線材８を脱着自在にすることができるものであれば特に形態が限定されるものではなく、棒状の本体部５と柔軟性または／および伸縮性を有する線材８とを嵌合する嵌合構造とする形態や棒状の本体部５と柔軟性または／および伸縮性を有する線材８を係止する係止構造とする形態など各種の形態を採用することができる。そしてその中でも、図１〜４に記載のとおり、２つの筒状部材（第五筒状部材１１ａ、第六筒状部材１１ｂ）を上下に並列に連結した形態とすれば、第一ストッパ部７を構成する突出部７ｂを第五筒状部材１１ａ、第六筒状部材１１ｂのいずれかに挿入するという簡単な動作で棒状の本体部５と柔軟性または／および伸縮性を有する線材８を脱着自在にすることができるので好適である。また、突出部７ｂを有効に活用することができるという点からも好適である。
【００４６】
さらに、着脱部１１の釣り針部材３における位置についても特に限定されるものではなく、必要に応じて様々な位置に設けることができる。例えば、図１、２に示すように柔軟性または／および伸縮性を有する線材８の前方（３つの針部９の前方の針部９ａ）の位置に設けることもできるし、図３に示すように柔軟性または／および伸縮性を有する線材８の中間（３つの針部９の中間の針部９ｂ）の位置に設けることもできるし、図４に示すように柔軟性または／および伸縮性を有する線材８の後方（３つの針部９の後方の針部９ｃ）の位置に設けることもできる。
【００４７】
（連結部材）
本発明に用いられる連結部材４は、棒状の本体部５と柔軟性または／および伸縮性を有する線材８とを並行に連結するとともに、本体部５または／および線材８を前後方向に移動させることによって、柔軟性または／および伸縮性を有する線材８を棒状の本体部５の前方に引き出すものである。
具体的には、棒状の本体部５と柔軟性または／および伸縮性を有する線材８を並行に連結させるとともに、（１）柔軟性または／および伸縮性を有する線材８に固定して、棒状の本体部５を前後方向に移動させる構造、（２）棒状の本体部５に固定して、柔軟性または／および伸縮性を有する線材８を前後方向に移動させる構造、（３）棒状の本体部５にも柔軟性または／および伸縮性を有する線材８にも固定せずに、棒状の本体部５と柔軟性または／および伸縮性を有する線材８をそれぞれ前後方向に移動させる構造、のいずれかの構造になっているものである。
このように、本発明に用いられる連結部材４は、棒状の本体部５と柔軟性または／および伸縮性を有する線材８とを並行に連結して、棒状の本体部５と柔軟性または／および伸縮性を有する線材８を前後方向に移動させることによって、柔軟性または／および伸縮性を有する線材８を棒状の本体部５の前方に引き出すものであることから、針部９がイカに引っ掛かってイカが逃げようとしても、イカが移動する方向に柔軟性または／および伸縮性を有する線材８を引き出すことができるのである。そしてその結果、柔軟性または／および伸縮性を有する線材８がイカに追随することになり、針部９がイカの身から外れたり、身切れしたりすることを防止することができ、確実にイカを捕獲することができるのである。
【００４８】
なお、連結部材４については、棒状の本体部５と柔軟性または／および伸縮性を有する線材８を前後方向に移動させることによって、柔軟性または／および伸縮性を有する線材８を棒状の本体部５の前方に引き出すことができる構造となっていれば特に形態が限定されるものではないが、図１〜４に記載のとおり、２つの筒状部材（第一筒状部材４ａ、第二筒状部材４ｂ）を上下に並列に連結した形態として、係る２つの筒内にそれぞれ棒状の本体部５と柔軟性または／および伸縮性を有する線材８を挿入する（必要に応じて、一方の筒状部材とは挿入後に固定しても良い）ようにすれば、簡単な構造で棒状の本体部５と柔軟性または／および伸縮性を有する線材８を前後方向に移動させることができるので好適である。
【００４９】
また、連結部材４の設置位置についても、棒状の本体部５と柔軟性または／および伸縮性を有する線材８を前後方向に移動させることができれば特に限定されるものではないが、第一ストッパ部７の後方でかつ第二ストッパ部１０の前方の位置、すなわち第一ストッパ部７と第二ストッパ部１０の間に設ければ、柔軟性または／および伸縮性を有する線材８をよりスムーズに引き出すことができるので好適である。
さらに、連結部材４を第一ストッパ部７と第二ストッパ部１０の間に設ければ、第一ストッパ部７と第二ストッパ部１０に加えて連結部材４も柔軟性または／および伸縮性を有する線材８を支えることになり、引き出される前の柔軟性または／および伸縮性を有する線材８をより棒状の本体部５に沿って保持（収納）させることができることになる。つまり、連結部材４が柔軟性または／および伸縮性を有する線材８のたわみの発生を防止する「たわみ防止部材」としても機能することになり、ヤエンを海中に投入する際にも釣り糸に引っ掛かることなく、ヤエンをよりスムーズにイカに到達させることができるので好適である。
【００５０】
なお、連絡部材４の数についても特に限定されるものではなく、１つのみを設けるものでも良いが、図１〜４、６に記載のように複数設けるとたわみ防止効果をより向上させることができるので好適である。
【００５１】
（第二の実施形態）
第二の実施形態に係るイカ釣り用ヤエン１ｄは、第一ストッパ部７および連結部材４を特定の形態とすることによって、釣り針部材３に着脱部１１を設けない構造とした形態である。
【００５２】
具体的には、図５に示すように、第一ストッパ部７については棒状の本体部５の先端部を折り曲げたＪ字形状部７ｃとするとともに、連結部材４については可撓性チューブ４ｃを用いて棒状の本体部５と柔軟性または／および伸縮性を有する線材８の両方を束ねた状態で挿入する形態としたものである。
【００５３】
ここで、係る連結部材４（可撓性チューブ４ｃ）については、その内径を、束ねた状態の棒状の本体部５と柔軟性または／および伸縮性を有する線材８の径と同じ内径とするか、或いは束ねた状態の棒状の本体部５と柔軟性または／および伸縮性を有する線材８の径よりも僅かに小さい内径とすることが好ましい。係る内径とすれば、連結部材４をさらに簡単な構造としながらも棒状の本体部５と柔軟性または／および伸縮性を有する線材８を並行に連結させることができ、さらに可撓性チューブが持つ可撓性によって連結部材４（可撓性チューブ４ｃ）と、本体部５および線材８との間で摩擦抵抗を発生させることができることになり、その結果イカが逃げようとして釣り針部材３に力がかかった分だけ本体部５または／および線材８を引き出さすことができるからである。
【００５４】
（第三の実施形態）
第三の実施形態に係るイカ釣り用ヤエン１ｅは、第一ストッパ部７および連結部材４を特定の形態とすることによって連結部材４を第一ストッパ部７としても用いるとともに、釣り針部材３に着脱部１１を設けない構造とした形態である。
【００５５】
具体的には、図６に示すように、連結部材４を金属製の筒材４ｄとするとともに、係る連結部材４に棒状の本体部５の先端部を接合（棒状の本体部５の先端部に連結部材４を固定）することによって連結部材４を第一ストッパ部７としても用いて、柔軟性または／および伸縮性を有する線材８のみを前後方向に移動可能とした形態である。
【００５６】
ここで、係る連結部材４（金属製の筒材４ｄ）については、その内径を、束ねた状態の棒状の本体部５と柔軟性または／および伸縮性を有する線材８の径と同じ内径とするか、或いは束ねた状態の棒状の本体部５と柔軟性または／および伸縮性を有する線材８の径よりも僅かに大きい内径とすることが好ましい。係る内径とすれば、連結部材４をさらに簡単な構造としながらも棒状の本体部５と柔軟性または／および伸縮性を有する線材８を並行に連結させることができ、さらに金属が持つ滑らかさによって連結部材４（金属製の筒材４ｄ）と柔軟性または／および伸縮性を有する線材８との間で程よい摩擦抵抗を発生させることができることになり、その結果イカが逃げようとして釣り針部材３に力がかかった分だけ柔軟性または／および伸縮性を有する線材８を引き出さすことができるからである。
なお、係る実施形態を採用する場合には、滑りやすさと摩擦抵抗とのバランスがよいことから、柔軟性または／および伸縮性を有する線材８にワイヤーロープを用いることが好ましい。
【００５７】
次に、第一の実施形態のイカ釣り用ヤエン１ａを例にして、本発明のイカ釣り用ヤエン１の動作および作用を説明する。
図７は図１のイカ釣り用ヤエンを餌に食いついているイカに到達させた状態を示す模式図であり、図８は図７の状態から針部がイカに引っ掛かって、釣り針部材（着脱部）が本体部材から離れた状態を示す模式図であり、図９は図８の状態から針部が引っ掛かったイカが逃げて暴れることによって、柔軟性または／および伸縮性を有する線材が引き出されて釣り針部材がイカの身に巻き付いた状態を示す模式図である。
【００５８】
まず、釣り糸１２の先に釣り針（図示せず）を取付け、係る釣り針に餌魚（図示せず）をつけて海中で泳がせる。
【００５９】
次に、イカが餌魚に食いついたら、本発明のイカ釣り用ヤエンの釣り糸通し部６に釣り糸１２に通し、釣り糸１２を緊張状態にしてイカ釣り用ヤエン１を海中に投入する。
【００６０】
次に、図７に示すように、イカ釣り用ヤエン１が餌に食いついているイカに到達すると、針部９がイカの身に引っ掛かることになる。そうすると、イカは逃げようと動く（例えば図７の矢印の方向に動く）ことになる。
【００６１】
次に、イカが逃げると、図８に示すように、釣り針部材３の着脱部１１が本体部材２の突出部７ｂから離脱することになる。
【００６２】
次に、イカはさらに逃げようとすることになるが、図９に示すように、柔軟性または／および伸縮性を有する線材８が引き出されることになることから、イカが移動する方向に柔軟性または／および伸縮性を有する線材８が追随することになり、イカの身には針部９が引っ掛かった状態が維持されることになる。また、逃げようとするイカは様々な方向に移動したり、身を回転させたりすることになることから、逆に柔軟性または／および伸縮性を有する線材８がイカの身に巻き付いてより多くの針部９がイカの身に引っ掛かることになり、確実にイカを捕獲することができる。
【００６３】
最後に、イカを海面まで釣り上げてタモ網などで回収して、イカ釣りを終了する。
【００６４】
以上のとおり、本発明のイカ釣り用ヤエンは、従来のイカ釣り用ヤエンにはない様々な技術的効果を発現させることができる。
【産業上の利用可能性】
【００６５】
本発明のイカ釣り用ヤエンはイカ釣りに用いることができる。
【符号の説明】
【００６６】
１    イカ釣り用ヤエン
１ａ    イカ釣り用ヤエン
１ｂ    イカ釣り用ヤエン
１ｃ    イカ釣り用ヤエン
１ｄ    イカ釣り用ヤエン
１ｅ    イカ釣り用ヤエン
２    本体部材
３    釣り針部材
４    連結部材
４ａ    第一筒状部材
４ｂ    第二筒状部材
４ｃ    可撓性チューブ
４ｄ    金属製の筒材
５    本体部
６    釣り糸通し部
７    第一ストッパ部
７ａ    膨出部
７ｂ    突出部
７ｃ    Ｊ字形状部
８    柔軟性または／および伸縮性を有する線材
９    針部
１０  第二ストッパ部
１０ａ    第三筒状部材
１０ｂ    第四筒状部材
１１    着脱部
１１ａ    第五筒状部材
１１ｂ    第六筒状部材
１２    釣り糸
１０１    従前のイカ釣り用ヤエン
【図１】
2020174544.tif 000003
【図２】
2020174544.tif 000004
【図３】
2020174544.tif 000005
【図４】
2020174544.tif 000006
【図５】
2020174544.tif 000007
【図６】
2020174544.tif 000008
【図７】
2020174544.tif 000009
【図８】
2020174544.tif 000010
【図９】
2020174544.tif 000011
【図１０】
2020174544.tif 000012
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
本体部材と、釣り針部材と、前記本体部材および前記釣り針部材を連結する連結部材とを備えるイカ釣り用ヤエンであって、
前記本体部材は、
棒状の本体部に、前記本体部に立設した釣り糸通し部と、前記本体部の先端部に設けた第一ストッパ部を備えたものであり、
前記釣り針部材は、
柔軟性または／および伸縮性を有する線材に、複数の針部と、前記線材の後端部に設けた第二ストッパ部を備えたものであり、
前記連結部材は、
前記柔軟性または／および伸縮性を有する線材と前記棒状の本体部を挿入する筒状部材であって、かつ前記柔軟性または／および伸縮性を有する線材と前記棒状の本体部を挿入して連結した状態で前記柔軟性または／および伸縮性を有する線材を前記棒状の本体部に対して前後方向に移動可能とするものであり、
イカが前記針部に引っ掛かって逃げる際の力によって、
前記柔軟性または／および伸縮性を有する線材が前記連結部材内を通過して前記棒状の本体部の前方に引き出されるように移動するものであることを特徴とするイカ釣り用ヤエン。
【請求項２】
前記連結部材が、
前記棒状の本体部と前記柔軟性または／および伸縮性を有する線材とを共に挿入する筒状部材であることを特徴とする請求項１に記載のイカ釣り用ヤエン。
【請求項３】
前記連結部材が、
前記棒状の本体部を挿入することができる第一筒状部材と、
前記柔軟性または／および伸縮性を有する線材を挿入することができる第二筒状部材を、
上下に並列に連結したものであることを特徴とする請求項１に記載のイカ釣り用ヤエン。
【請求項４】
前記連結部材が、
前記第一ストッパ部の後方で、かつ前記第二ストッパ部の前方の位置に設けられていることを特徴とする請求項１から請求項３のいずれか一項に記載のイカ釣り用ヤエン。
【手続補正２】
【補正対象書類名】明細書
【補正対象項目名】００１６
【補正方法】変更
【補正の内容】
【００１６】
上記目的を達成するために、本発明の請求項１に係るイカ釣り用ヤエンは、本体部材と、釣り針部材と、本体部材および釣り針部材を連結する連結部材とを備えるイカ釣り用ヤエンであって、本体部材は、棒状の本体部に、本体部に立設した釣り糸通し部と、本体部の先端部に設けた第一ストッパ部を備えたものであり、釣り針部材は、柔軟性または／および伸縮性を有する線材に、複数の針部と、線材の後端部に設けた第二ストッパ部を備えたものであり、連結部材は、柔軟性または／および伸縮性を有する線材と棒状の本体部を挿入する筒状部材であって、かつ柔軟性または／および伸縮性を有する線材と棒状の本体部を挿入して連結した状態で柔軟性または／および伸縮性を有する線材を棒状の本体部に対して前後方向に移動可能とするものであり、イカが針部に引っ掛かって逃げる際の力によって、柔軟性または／および伸縮性を有する線材が連結部材内を通過して棒状の本体部の前方に引き出されるように移動するものであることを特徴とする。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】変更
【補正の内容】
【００１９】
本発明の請求項２に係るイカ釣り用ヤエンは、連結部材が、棒状の本体部と柔軟性または／および伸縮性を有する線材とを共に挿入する筒状部材であることを特徴とする。
【手続補正６】
【補正対象書類名】明細書
【補正対象項目名】００２０
【補正方法】変更
【補正の内容】
【００２０】
本発明の請求項３に係るイカ釣り用ヤエンは、連結部材が、棒状の本体部を挿入することができる第一筒状部材と、柔軟性または／および伸縮性を有する線材を挿入することができる第二筒状部材を、上下に並列に連結したものであることを特徴とする。
【手続補正７】
【補正対象書類名】明細書
【補正対象項目名】００２１
【補正方法】変更
【補正の内容】
【００２１】
本発明の請求項４に係るイカ釣り用ヤエンは、連結部材が、第一ストッパ部の後方で、かつ第二ストッパ部の前方の位置に設けられていることを特徴とする。
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
本体部材と、釣り針部材と、前記本体部材および前記釣り針部材を連結する連結部材とを備えるイカ釣り用ヤエンであって、
前記本体部材は、
棒状の本体部に、前記本体部に立設した釣り糸通し部と、前記本体部の先端部に設けた第一ストッパ部を備えたものであり、
前記釣り針部材は、
柔軟性または／および伸縮性を有する線材に、複数の針部と、前記線材の後端部に設けた第二ストッパ部を備えたものであり、
前記連結部材は、
前記柔軟性または／および伸縮性を有する線材と前記棒状の本体部を挿入する筒状部材であって、かつ前記柔軟性または／および伸縮性を有する線材と前記棒状の本体部を挿入して連結した状態で前記柔軟性または／および伸縮性を有する線材を前記棒状の本体部に対して前後方向に移動可能とするものであり、
イカが前記針部に引っ掛かって逃げる際の力によって、
前記柔軟性または／および伸縮性を有する線材が前記連結部材内を通過して前記棒状の本体部の前方に引き出されるように移動するものであることを特徴とするイカ釣り用ヤエン。
【請求項２】
前記連結部材が、
前記棒状の本体部と前記柔軟性または／および伸縮性を有する線材とを束ねた状態で挿入する筒状部材であることを特徴とする請求項１に記載のイカ釣り用ヤエン。
【請求項３】
前記連結部材が、
前記棒状の本体部を挿入することができる第一筒状部材と、
前記柔軟性または／および伸縮性を有する線材を挿入することができる第二筒状部材を、
上下に並列に連結したものであることを特徴とする請求項１に記載のイカ釣り用ヤエン。
【請求項４】
前記連結部材が、
前記第一ストッパ部の後方で、かつ前記第二ストッパ部の前方の位置に設けられていることを特徴とする請求項１から請求項３のいずれか一項に記載のイカ釣り用ヤエン。
【手続補正２】
【補正対象書類名】明細書
【補正対象項目名】００１９
【補正方法】変更
【補正の内容】
【００１９】
本発明の請求項２に係るイカ釣り用ヤエンは、連結部材が、棒状の本体部と柔軟性または／および伸縮性を有する線材とを束ねた状態で挿入する筒状部材であることを特徴とする。